(57)【要約】【課題】アプリケーションが作成した印刷データに適用された色空間とアプリケーションデータに適用された色空間の違いを容易に確認できるようにする。【解決手段】所定のアプリケーションデータに対応するアプリケーションを備える印刷制御装置１と、印刷制御装置１から入力されるアプリケーションデータのダイレクト印刷とアプリケーションデータをもとにアプリケーションが作成した印刷データの印刷が可能な画像形成装置２とを備え、印刷制御装置１は、アプリケーションデータをもとにアプリケーションが作成した印刷データを読み込む印刷データ読み込み手段１２と、アプリケーションデータそのものを読み込むアプリケーションデータ読み込み手段１１と、印刷データに適用された色空間とアプリケーションデータに適用された色空間を比較する色空間比較手段１４とを備える。【選択図】図１
2011022759.tif 000002
【特許請求の範囲】
【請求項１】
所定のアプリケーションデータに対応するアプリケーションを備える印刷制御装置と、前記印刷制御装置から入力されるアプリケーションデータの印刷とアプリケーションデータをもとにアプリケーションが作成した印刷データの印刷が可能な画像形成装置とからなる画像形成システムであって、
前記印刷制御装置は、
アプリケーションデータをもとにアプリケーションが作成した印刷データを読み込む印刷データ読み込み手段と、
アプリケーションデータそのものを読み込むアプリケーションデータ読み込み手段と、
前記印刷データ及び前記アプリケーションデータを前記画像形成装置に送信するデータ送信手段とを備え、
前記画像形成装置は、
前記印刷データ及び前記アプリケーションデータを前記印刷制御装置から受信する入力ＰＤＬ受信手段と、
前記印刷データに適用された色空間に割り当てた色にもとづいて当該印刷データの描画出力を行うとともに、前記アプリケーションデータに適用された色空間に割り当てた色にもとづいて当該アプリケーションデータの描画出力を行う出力手段とを備えることを特徴とする画像形成システム。
【請求項２】
前記印刷制御装置は、
前記印刷データ又は前記アプリケーションデータに、当該印刷データに適用された色空間に割り当てた色と当該アプリケーションデータに適用された色空間に割り当てた色を指定するコマンドを追加する入力ＰＤＬ修正手段を備え、
前記画像形成装置は、
受信した印刷データ又はアプリケーションデータに前記コマンドが含まれるか否かを解析するＰＤＬ解釈手段と、
受信した印刷データ又はアプリケーションデータに前記コマンドが含まれていた場合に、そのコマンドの指定にもとづき、前記印刷データに適用された色空間に割り当てた色を設定するとともに、前記アプリケーションデータに適用された色空間に割り当てた色を設定する出力色変更設定手段と、
前記設定された色にもとづいて前記印刷データ及び前記アプリケーションデータを描画データに変換する描画データ生成手段と、
前記各描画データの出力を行う出力手段とを備えることを特徴とする請求項１記載の画像形成システム。
【請求項３】
前記印刷制御装置は、
前記入力ＰＤＬ修正手段が、前記印刷データと前記アプリケーションデータを結合し、
前記データ送信手段が、前記印刷データと前記アプリケーションデータが結合されたデータを前記画像形成装置に送信する請求項１又は２記載の画像形成システム。
【請求項４】
前記印刷制御装置は、
前記入力ＰＤＬ修正手段が、前記印刷データと前記アプリケーションデータとが結合されたものに、前記コマンドを追加する請求項１乃至３のいずれか一項記載の画像形成システム。
【請求項５】
前記印刷制御装置は、
印刷データに適用された色空間とアプリケーションデータに適用された色空間を判定して比較する色空間比較手段を備える請求項１乃至４のいずれか一項記載の画像形成システム。
【請求項６】
入力ＰＤＬ修正手段は、
印刷データに適用された色空間とアプリケーションデータに適用された色空間が異なる場合に、前記コマンドを追加し又は前記結合を行う請求項５記載の画像形成システム。
【請求項７】
所定のアプリケーションデータに対応するアプリケーションを備えるとともに、アプリケーションデータの印刷とアプリケーションデータをもとにアプリケーションが作成した印刷データの印刷が可能な画像形成装置に接続された印刷制御装置において、
アプリケーションデータをもとにアプリケーションが作成した印刷データを読み込む印刷データ読み込み手段と、
アプリケーションデータそのものを読み込むアプリケーションデータ読み込み手段と、
印刷データに適用された色空間とアプリケーションデータに適用された色空間を比較する色空間比較手段と、
前記比較の結果を表示する比較結果表示手段とを備えることを特徴とする印刷制御装置。
【発明の詳細な説明】
【技術分野】
【０００１】
本発明は、アプリケーションデータ及びそれに対応するアプリケーションを有する印刷制御装置（パーソナルコンピュータなどのホストコンピュータ）と、印刷制御装置から入力されるアプリケーションデータのダイレクト印刷とアプリケーションデータをもとにアプリケーションが作成した印刷データの印刷が可能な画像形成装置（プリンタ、ファクシミリ、複合機など）とを備える画像形成システム及び印刷制御装置に関する。
【背景技術】
【０００２】
カラー画像を扱う画像形成装置は、通常、各色空間の色変換テーブルを有しており、この色変換テーブルにもとづき画像処理を行うようになっている。例えば、カラープリンタは、パーソナルコンピュータ（以下、ＰＣと称する。）などから入力したＲＧＢ形式の印刷データを色変換テーブルにもとづきＣＭＹＫに変換して出力を行う。
以下、カラーテーブルの具体例を示す。
【０００３】
図８は、カラープリンタに格納される色変換テーブルの例を示す説明図である。
この図に示すように、カラープリンタに格納される色変換テーブルデータは、カラーデータの変換処理を行う上で必要な４つのテーブルデータをまとめたデータであり、ＲＧＢカラーのビットマップ画像などに用いられるラスタデータ用色変換テーブルと、ＲＧＢカラーの線、図形などに用いられるベクタデータ用色変換テーブルと、ＲＧＢカラーのフォントなどに用いられる文字データ用色変換テーブルと、ＣＭＹＫカラーのラスタデータ、ベクタデータ及び文字データに用いられるＣＭＹＫデータ用色変換テーブルとが含まれている。
そして、この種のカラープリンタでは、色変換テーブルの変更や調整によって、所望の色味を実現できるようになってきている。
【０００４】
プリンタのホストコンピュータとなるＰＣなどの印刷制御装置は、通常、アプリケーションデータ及びそれに対応するアプリケーションを有しており、アプリケーションデータを印刷する方法としては、アプリケーションデータをもとにアプリケーションが作成した印刷データ（適宜、ＰＤＬデータ（Printer Description Languageデータ：プリンタ記述言語データ）と称する）をプリンタに送る方法と、アプリケーションデータをそのままプリンタに送る方法とがある。
【０００５】
例えば、ＰＤＦアプリケーション上でＰＤＦデータを開き、そこで印刷命令を行う場合が前者の方法に該当する。この方法は、個人ユーザが利用する場合の一般的な印刷操作手順である。
一方、オフィス印刷においては、ＰＤＦデータをそのままプリンタに送るケースがある（ダイレクト印刷）。例えば、ＰＤＦデータのアイコンをプリンタのアイコンにドラッグ＆ドロップすることによりダイレクト印刷が実行される。
【０００６】
ところで、アプリケーションのなかには、例えば、ＰＤＦアプリケーションのように、プリンタがPostscriptをサポートしている場合に、Postscript変換によって印刷データを作成し、これをプリンタに送る機能を備えるものがある。
この場合、図９に示すように、Postscript変換に伴ってＰＤＦアプリケーション独自の色変換テーブルでＲＧＢ→ＣＭＹＫ変換が勝手に行われ、プリンタがもつ色変換テーブルを介さずに印刷が行われる可能性がある。
このため、プリンタの色味を想定しているユーザにとっては、その色味で出力されないこととなり、このことが問題となっていた。
【０００７】
そこで、Postscript変換による印刷データ、ＰＤＦデータなどの入力データに対して色空間判定を行い、所定のオブジェクトを判定された色空間の色に塗りつぶすことで適用された色空間の確認ができるようにした文書処理方法が提案されている（例えば、特許文献１参照）。
【先行技術文献】
【特許文献】
【０００８】
【特許文献１】特開２００６−３１４７２号公報
【発明の概要】
【発明が解決しようとする課題】
【０００９】
しかしながら、特許文献１による色空間の確認方法では、アプリケーションが作成した印刷データに適用された色空間とアプリケーションデータに適用された色空間の違いを確認する場合、２種類の方法で実際に印刷し、両者を比較する必要があるので、非常に手間がかかるという問題があった。
つまり、アプリケーション上でアプリケーションデータを開く操作と、アプリケーション上で印刷を指示する操作とを行って１枚目を印刷するともに、アプリケーションデータをドラッグ＆ドロップ操作などによりプリンタに送って２枚目を印刷し、しかる後、印刷された２枚を比較する必要があった。
【００１０】
本発明は、以上のような従来の技術が有する問題を解決するために提案されたものであり、アプリケーションが作成した印刷データに適用された色空間とアプリケーションデータに適用された色空間の違いを容易に確認することができる画像形成システム及び印刷制御装置の提供を目的とする。
【課題を解決するための手段】
【００１１】
上記目的を達成するため、本発明の画像形成システムは、所定のアプリケーションデータに対応するアプリケーションを備える印刷制御装置と、前記印刷制御装置から入力されるアプリケーションデータの印刷とアプリケーションデータをもとにアプリケーションが作成した印刷データの印刷が可能な画像形成装置とからなる画像形成システムであって、前記印刷制御装置は、アプリケーションデータをもとにアプリケーションが作成した印刷データを読み込む印刷データ読み込み手段と、アプリケーションデータそのものを読み込むアプリケーションデータ読み込み手段と、前記印刷データ及び前記アプリケーションデータを前記画像形成装置に送信するデータ送信手段とを備え、前記画像形成装置は、前記印刷データ及び前記アプリケーションデータを前記印刷制御装置から受信する入力ＰＤＬ受信手段と、前記印刷データに適用された色空間に割り当てた色にもとづいて当該印刷データの描画出力を行うとともに、前記アプリケーションデータに適用された色空間に割り当てた色にもとづいて当該アプリケーションデータの描画出力を行う出力手段とを備える構成としてある。
【００１２】
また、本発明の印刷制御装置は、所定のアプリケーションデータに対応するアプリケーションを備えるとともに、アプリケーションデータの印刷とアプリケーションデータをもとにアプリケーションが作成した印刷データの印刷が可能な画像形成装置に接続された印刷制御装置において、アプリケーションデータをもとにアプリケーションが作成した印刷データを読み込む印刷データ読み込み手段と、アプリケーションデータそのものを読み込むアプリケーションデータ読み込み手段と、印刷データに適用された色空間とアプリケーションデータに適用された色空間を比較する色空間比較手段と、前記比較の結果を表示する比較結果表示手段を備える構成としてある。
【発明の効果】
【００１３】
本発明によれば、アプリケーションによって作成された印刷データに適用された色空間とアプリケーションデータに適用された色空間の違いを容易に確認することができる。
【図面の簡単な説明】
【００１４】
【図１】本発明の第一実施形態に係る画像形成システムの構成を示すブロック図である。
【図２】本発明の第一実施形態に係る印刷制御装置側のドライバ設定画面を示す説明図である。
【図３】本発明の第一実施形態に係る印刷制御装置が画像形成装置に送るデータのイメージを示す説明図である。
【図４】本発明の第一実施形態に係る画像形成装置の出力結果を示す説明図である。
【図５】本発明の第一実施形態に係る印刷制御装置側の処理手順を示すフローチャートである。
【図６】本発明の第一実施形態に係る画像形成装置側の処理手順を示すフローチャートである。
【図７】本発明の第二実施形態に係る印刷制御装置側の処理手順を示すフローチャートである。
【図８】カラープリンタに格納される色変換テーブルデータの例を示す説明図である。
【図９】従来の問題点を示す説明図である。
【発明を実施するための形態】
【００１５】
以下、本発明に係る画像形成システムの実施形態について図面を参照して説明する。
ここで、以下に説明する本発明の実施形態に係る画像形成システム及び印刷制御装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、以下に示す実施形態の画像形成システム及び印刷制御装置における各処理・手段は、プログラムとコンピュータとが協働した具体的手段によって実現される。
【００１６】
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１７】
［第一実施形態］
図１は、本発明の第一実施形態に係る画像形成システムの構成を示すブロック図、図２は、本発明の第一実施形態に係る印刷制御装置側のドライバ設定画面を示す説明図、図３は、本発明の第一実施形態に係る印刷制御装置が画像形成装置に送るデータのイメージを示す説明図、図４は、本発明の第一実施形態に係る画像形成装置の出力結果を示す説明図である。
図１に示すように、本発明の第一実施形態に係る画像形成システムは、印刷時にホストコンピュータとなるＰＣなどの印刷制御装置１と、印刷制御装置１から入力される印刷データを印刷するプリンタ、複合機などの画像形成装置２とを備えて構成されている。
【００１８】
印刷制御装置１は、アプリケーションデータ及びそれに対応するアプリケーションを有する。例えば、ＰＤＦデータと、ＰＤＦデータの閲覧、印刷などを行うＰＤＦアプリケーションとを有する。
そして、印刷制御装置１のプリンタドライバ（又はプリンタユーティリティ）には、アプリケーションデータ読み込み手段１１と、入力ＰＤＬ読み込み手段（印刷データ読み込み手段）１２と、比較情報設定手段１３と、色空間比較手段１４と、比較結果表示手段１５と、入力ＰＤＬ修正手段１６と、データ送信手段１７とが備えられている。
【００１９】
画像形成装置２は、印刷制御装置１から入力されるアプリケーションデータのダイレクト印刷とアプリケーションデータをもとにアプリケーションが作成した印刷データの印刷のいずれも行うことができる。例えば、印刷制御装置１から入力されるＰＤＦデータのダイレクト印刷や、ＰＤＦデータをもとにＰＤＦアプリケーションが作成した印刷データの印刷を行うことができる。
そして、画像形成装置２のコントローラには、入力ＰＤＬ受信手段２１と、ＰＤＬ解釈手段２２と、出力色変更設定手段２３と、描画データ生成手段２４と、出力手段２５とが備えられている。
【００２０】
（印刷制御装置１）
アプリケーションデータ読み込み手段１１は、アプリケーションデータそのものの読み込みを行う。
また、入力ＰＤＬ読み込み手段１２は、アプリケーションデータをもとにアプリケーションが作成した印刷データの読み込みを行う。
例えば、ＰＤＦアプリケーション上でＰＤＦデータを開き、印刷指令を行う際に、図２に示すドライバ設定画面で色空間比較実行のチェックボックスにチェックを入れ、その後に印刷指令を行うようにする。このようにすると、ＰＤＦアプリケーションが作成した印刷データを容易に読み込むことができ、また、アプリケーションデータそのものも容易に特定して読み込むことが可能になる。
【００２１】
比較情報設定手段１３は、図２に示すドライバ設定画面の操作介し、色空間比較の実行を行う。具体的には、色空間比較実行フラグと色空間識別色の設定を行う。
色空間比較実行フラグは、色空間比較を実行するか否かを決定するフラグであり、「色空間比較実行」のチェックボックスにチェックが入れられたか否かに応じて、ＯＮ／ＯＦＦされる。
色空間識別色は、各種の色空間に対してそれぞれ割り当てられる色であり、例えば、図２に示すドライバ設定画面では、６種類の色空間１〜６にそれぞれ異なる識別色１〜６を割り当てている。これらの識別色１〜６は、デフォルトとして各色空間１〜６に割り当てられるが、任意に変更することができる。
【００２２】
色空間比較手段１４は、印刷データに適用された色空間とアプリケーションデータに適用された色空間を判定し、その比較を行う。
色空間比較手段１４は、図１に示すように、色空間判定手段１４１と不一致色空間検出手段１４２とを有する。
色空間判定手段１４１は、印刷データに適用された色空間とアプリケーションデータに適用された色空間を判定する。
不一致色空間検出手段１４２は、印刷データに適用された色空間とアプリケーションデータに適用された色空間が不一致であるか否かを検出する。
【００２３】
比較結果表示手段１５は、印刷データに適用された色空間とアプリケーションデータに適用された色空間の比較結果を表示する。
具体的には、不一致色空間検出手段１４２が印刷データに適用された色空間とアプリケーションデータに適用された色空間が不一致であると判定した場合は、図２のドライバ設定画面において、比較結果として「違いあり！」と表示する。
また、不一致色空間検出手段１４２が印刷データに適用された色空間とアプリケーションデータに適用された色空間が不一致であると判定しなかった場合、すなわち、印刷データに適用された色空間とアプリケーションデータに適用された色空間が一致する場合は、図２のドライバ設定画面において、比較結果として「違いなし！」と表示することができる。
【００２４】
入力ＰＤＬ修正手段１６は、図１に示すように、出力色変更コマンド追加手段１６１とアプリケーションデータ結合手段１６２とを有する。
出力色変更コマンド追加手段１６１は、所定のコマンドを発行して印刷データに追加する。
具体的には、印刷データに適用された色空間とアプリケーションデータに適用された色空間が異なる場合に、印刷データ及びアプリケーションデータをそれぞれに適用される色空間の識別色で画像形成装置２に印刷させるための印刷データを生成する。
詳しくは、図３の下図に示すように、印刷データ及びアプリケーションデータの印刷色を、それぞれに適用された色空間に割り当てられた識別色に変更するための色変更コマンドを発行して印刷データに追加する。
アプリケーションデータ結合手段１６２は、色変更コマンドが追加された印刷データにアプリケーションデータを結合させて一つの印刷データにする。
データ送信手段１７は、結合された印刷データを画像形成装置２に送る。
【００２５】
（画像形成装置２）
入力ＰＤＬ受信手段２１は、印刷制御装置１から送られてきた印刷データを受信する。
ＰＤＬ解釈手段２２は、受信した印刷データを解釈する。
具体的には、受信した印刷データに出力色変更コマンドが含まれるか否かを解析する。
また、ＰＤＬ解釈手段２２は、受信した印刷データに含まれる印刷データとアプリケーションデータとを解析して、それぞれに適用された色空間を判定する。
出力色変更設定手段２３は、受信した印刷データに出力色変更コマンドが含まれる場合に、そのコマンドが指定する色に出力色を変更する。
具体的には、出力色変更コマンドの内容に応じ、印刷データに適用された色空間に割り当てられた色値を設定するとともに、アプリケーションデータに適用された色空間に割り当てられた色値を設定する。
【００２６】
描画データ生成手段２４は、印刷データ及びアプリケーションデータを、設定された出力色にしたがって色変換を実行し、描画データを作成する。
出力手段２５は、作成された描画データを出力し、印刷を実行する。
これにより、図４に示すように、所定のドキュメントを、印刷データ及びアプリケーションデータのそれぞれに適用される色空間に割り当てられた識別色で印刷されるので、それぞれの識別色にもとづいて色空間の違いを容易に確認することが可能になる。
そして、出力された色と図２に示す識別色とを対比することによって、元の色空間が何で、どの色空間に変換されたかを認識することができる。
【００２７】
つぎに、本発明の第一実施形態に係る印刷制御装置側及び画像形成装置側の処理手順について、図５及び図６を参照して説明する。
【００２８】
図５は、本発明の第一実施形態に係る印刷制御装置側の処理手順を示すフローチャートである。
この図に示すように、印刷制御装置１のドライバは、アプリケーションからの印刷指示に応じ、入力ＰＤＬ読み込み手段１２が、アプリケーションデータをもとにアプリケーションが作成した印刷データを読み込む（Ｓ１０１）。
次に、色空間比較を実行するか否かを判定する（Ｓ１０２）。具体的には、比較情報設定手段１３が、「色空間比較実行フラグ」がＯＮであるか否かを判断する。
【００２９】
色空間比較を実行する場合（Ｓ１０２：ＹＥＳ）、つまり「色空間比較実行フラグ」がＯＮである場合、アプリケーションデータ読み込み手段１１が、アプリケーションデータそのものの読み込みを行う（Ｓ１０３）。
続いて、色空間判定手段１４１が、印刷データ（入力ＰＤＬ）に適用された色空間の判定を行うとともに（Ｓ１０４）、アプリケーションデータに適用された色空間の判定（Ｓ１０５）を行う。
【００３０】
そして、色空間判定手段１４１は、アプリケーションデータと印刷データに適用された色空間の違いをチェックする（Ｓ１０６）。
ここで、違いがない場合は（Ｓ１０７：ＮＯ）、比較結果表示手段１５は、比較結果欄に「違いなし」を表示し（Ｓ１０８）、終了する。
一方、違いがある場合は（Ｓ１０７：ＹＥＳ）、比較結果表示手段１５は、比較結果欄Ｎ「違いあり」を表示する（Ｓ１０９）。
【００３１】
ステップＳ１０９に次いで、出力色変更コマンド追加手段１６１は、予め色空間に割り当てられた識別色を獲得する（Ｓ１１０）。つまり、印刷データに適用された色空間の識別色とアプリケーションデータに適用された色空間に割り当てられた識別色をそれぞれ獲得する。
続いて、出力色変更コマンド追加手段１６１は、印刷データに出力色変更コマンドを追加する（Ｓ１１１）。この出力色変更コマンドには、印刷データに適用された色空間の識別色とアプリケーションデータに適用された色空間に割り当てられた識別色の情報を含む。
次いで、アプリケーションデータ結合手段１６２が、その印刷データにアプリケーションデータを結合させる（Ｓ１１２）。
そして、データ送信手段１７は、その結合した印刷データ（ＪＯＢデータ）を画像形成装置２に送信し（Ｓ１１３）、印刷制御装置１側の処理が終わる。
【００３２】
なお、色空間比較を実行しない場合（Ｓ１０２：ＮＯ）、つまり「色空間比較実行フラグ」がＯＦＦである場合、通常のＪＯＢデータを画像形成装置２に送信する（Ｓ１１３）。
【００３３】
図６は、本発明の第一実施形態に係る画像形成装置側の処理手順を示すフローチャートである。
この図に示すように、まず、画像形成装置２側では、印刷制御装置１が送信した印刷データを入力ＰＤＬ受信手段２１が受信する（Ｓ２０１）。
次に、ＰＤＬ解釈手段２２が、受信した印刷データを解釈する（Ｓ２０２）。
続いて、出力色の変更を行うか否かを判断する（Ｓ２０３）。
具体的には、ＰＤＬ解釈手段２２が、印刷データに出力色変更コマンドが含まれるか否かを判断する。
【００３４】
ここで、出力色の変更を行わない場合（Ｓ２０３：ＮＯ）、つまり、印刷データから出力色変更コマンドが検出されない場合、描画データ生成手段２４は、通常通り、元の印刷データの描画データ（１枚目）を作成し（Ｓ２０４）、出力手段２５がこの描画データの出力を行う（Ｓ２０８）。
一方、出力色の変更を行う場合（Ｓ２０３：ＹＥＳ）、つまり、印刷データから出力色変更コマンドが検出された場合、出力色変更設定手段２３は、出力色変更コマンドに含まれる指定色にもとづいて出力色を設定する（Ｓ２０５）。すなわち、印刷データに対しては、その印刷データに適用された色空間に割り当てられた識別色の色値を設定するとともに、アプリケーションデータに対しては、そのアプリケーションデータに適用された色空間に割り当てられた識別色の色値を設定する。
【００３５】
次に、描画データ生成手段２４は、設定した識別色の色値にもとづき、元の印刷データの描画データ（１枚目）を作成するとともに（Ｓ２０６）、アプリケーションデータの描画データ（２枚目）を作成する（Ｓ２０７）。
そして、出力手段２５は、各描画データの出力処理を行い（Ｓ２０８）、画像形成装置２側の処理が終わる。
【００３６】
以上説明したように、本実施形態の画像形成システムによれば、アプリケーションデータ及びそれに対応するアプリケーションを有する印刷制御装置１と、印刷制御装置１から入力されるアプリケーションデータのダイレクト印刷やアプリケーションデータをもとにアプリケーションが作成した印刷データの印刷が可能な画像形成装置２とを備え、印刷制御装置１は、アプリケーションデータをもとにアプリケーションが作成した印刷データの色空間と、アプリケーションデータの色空間とを対比し、双方の色空間が異なる場合には印刷データに所定の出力色変更コマンドを付するとともに、その印刷データとアプリケーションデータとを結合して画像形成装置に送信するようにしている。
【００３７】
一方、この印刷データを受信した画像形成装置では、出力色変更コマンドの受信に応じて、そのコマンドが指定する色空間の識別色によって印刷データとアプリケーションデータの出力を行うようにしている。
そして、利用者は、出力されたドキュメントの色を確認することによって、アプリケーションを介してどのようなデータが画像形成装置に送信されたかを確認することができる。
具体的には、アプリケーションデータそのものが送信されたか、アプリケーションデータを印刷データに変換したものが送信されたかを確認することができる。
【００３８】
また、それらのデータがどの色空間によって生成されているかを確認することもできる。
このため、事前に本実施形態の出力処理を行うことによって、利用者の意に反する出力結果となることを防ぐことができる。
例えば、アプリケーションデータを画像形成装置側で色変換処理するところを、アプリケーションが勝手に印刷データに変換して画像形成装置に送信することによって、所望の色味が得られなくなる等の不具合を防ぐことができる。
【００３９】
また、印刷制御装置１は、印刷データに適用された色空間とアプリケーションデータに適用された色空間の比較結果を表示する比較結果表示手段１５を備えるので、印刷制御装置１側で色空間の違いを確認することができる。
【００４０】
［第二実施形態］
つぎに、本発明の第二実施形態について、図７を参照して説明する。ただし、第一実施形態と共通する部分については、第一実施形態と同じ符号を付与することにより、第一実施形態の説明を援用する。
【００４１】
図７は、本発明の第二実施形態に係る印刷制御装置側の処理手順を示すフローチャートである。
この図に示すように、本発明の第二実施形態は、本発明に係る特徴的な機能である色空間比較機能を、印刷制御装置１と画像形成装置２との協働により実現するのではなく、印刷制御装置１単体で実現する点が第一実施形態と相違している。具体的には、第一実施形態における図５のステップＳ１１０以降の処理を省くことにより、印刷制御装置１単体で色空間比較機能を実現している。
【００４２】
このような本発明の第二実施形態によれば、画像形成装置２がオフラインの状態であっても、アプリケーションが作成した印刷データに適用された色空間とアプリケーションデータに適用された色空間の違いを、多くの操作手順を経ることなく容易に確認することができる。
【００４３】
以上、本発明の画像形成システムについて、好ましい実施形態を示して説明したが、本発明にかかる画像形成システムは、上述した実施形態に限定されるものではなく、本発明の範囲で種々の変更実施が可能であることは言うまでもない。
例えば、印刷制御装置から画像形成装置に対しては、印刷データとアプリケーションデータが結合されて送信されるようになっているが、個別に送信するようにしてもよい。
【産業上の利用可能性】
【００４４】
本発明は、アプリケーションデータ及びそれに対応するアプリケーションを有する印刷制御装置と、印刷制御装置から入力されるアプリケーションデータのダイレクト印刷やアプリケーションデータをもとにアプリケーションが作成した印刷データの印刷が可能な画像形成装置とを備える画像形成システムや、印刷制御装置において利用することができる。
【符号の説明】
【００４５】
１  印刷制御装置
１１  アプリケーションデータ読み込み手段
１２  入力ＰＤＬ読み込み手段
１３  比較情報設定手段
１４  色空間比較手段
１４１  色空間判定手段
１４２  不一致色空間検出手段
１５  比較結果表示手段
１６  入力ＰＤＬ修正手段
１６１  出力色変更コマンド追加手段
１６２  アプリケーションデータ結合手段
１７  データ送信手段
２  画像形成装置
２１  入力ＰＤＬ受信手段
２２  ＰＤＬ解釈手段
２３  出力色変更設定手段
２４  描画データ生成手段
２５  出力手段
【図１】
2011022759.tif 000003
【図５】
2011022759.tif 000004
【図６】
2011022759.tif 000005
【図７】
2011022759.tif 000006
【図８】
2011022759.tif 000007
【図２】
2011022759.tif 000008
【図３】
2011022759.tif 000009
【図４】
2011022759.tif 000010
【図９】
2011022759.tif 000011